(57)【要約】      （修正有）【課題】クッション部材を固定部材で覆って足に貼り付けるタイプの絆創膏において、足から剥がれるのを防止することができる絆創膏を提供する。【解決手段】本発明は、足裏を含む足に貼り付けられる絆創膏であって、つま先側を向く前端縁及び踵側を向く後端縁を有し、偏平状に形成されているクッション部材１と、前記クッション部材を覆うように取り付けられ、少なくとも、当該クッション部材の両側から延びる固定部２２、２３を有するシート状のカバー部材２と、を備え、前記クッション部材及び固定部には、当該絆創膏を前記足に貼り付けるための粘着剤が塗布されており、前記クッション部材には、少なくとも１つの貫通孔１３が形成されており、前記貫通孔の前端縁側の端部は、当該前端縁側に凸となるように湾曲している。【選択図】図２
2019208600.tif 000002
【特許請求の範囲】
【請求項１】
足裏を含む足に貼り付けられる絆創膏であって、
つま先側を向く前端縁及び踵側を向く後端縁を有し、偏平状に形成されているクッション部材と、
前記クッション部材を覆うように取り付けられ、少なくとも、当該クッション部材の両側から延びる固定部を有するシート状のカバー部材と、
を備え、
前記クッション部材及び固定部には、当該絆創膏を前記足に貼り付けるための粘着剤が塗布されており、
前記クッション部材には、少なくとも１つの貫通孔が形成されており、
前記貫通孔の前端縁側の端部は、当該前端縁側に凸となるように湾曲している、絆創膏。
【請求項２】
前記貫通孔の後端縁側の端部は、当該後端縁側に凸となるように湾曲している、請求項１に記載の絆創膏。
【請求項３】
前記貫通孔は、楕円状に形成されている、請求項１に記載の絆創膏。
【請求項４】
前記貫通孔には、薬剤が収容されている、請求項１から３のいずれかに記載の絆創膏。
【発明の詳細な説明】
【技術分野】
【０００１】
本発明は、絆創膏に関する。
【背景技術】
【０００２】
従来より種々の絆創膏が提案されており、例えば、特許文献１には、次のように、足に生じた魚の目、タコ、イボ等を治療するための絆創膏が開示されている。この絆創膏は、貫通孔が形成された偏平状のクッション部材と、このクッション部材を足に固定するためのカバー部材と、を備えている。クッション部材には貫通孔が形成されており、この貫通孔に薬剤が収容されている。また、カバー部材はクッション部材を覆うように設けられ、クッション部材からはみ出した部分が粘着剤を介して足に固定される。
【０００３】
そして、薬剤には、角質軟化剤であるサリチル酸などが含まれており、これを患部に数日間密着させ続けることで、魚の目、タコ、イボ等を治療することができる。また、クッション部材は、患部から発生する痛みを緩和するとともに、体温による薬剤の広がりを防止する役割を果たす。
【先行技術文献】
【特許文献】
【０００４】
【特許文献１】特開平８−３３６７４号公報
【発明の概要】
【発明が解決しようとする課題】
【０００５】
ところで、上記のような絆創膏は、足裏に貼り付けられることが多いが、剥がれやすいという問題がある。すなわち、歩行時につま先側から踵側に向かう力が絆創膏に作用し、これによって固定部材が足裏から剥がれたり、絆創膏の位置がずれるという問題がある。特に、ヒールを履いた場合には、つま先側に体重が集中し、踵側に向かう力が大きくなるため、絆創膏が特に剥がれやすくなる。なお、このような問題は、薬剤が設けられておらず、患部を覆うだけの絆創膏においても生じうる問題である。
【０００６】
本発明は、上記問題を解決するためになされたものであり、クッション部材を固定部材で覆って足に貼り付けるタイプの絆創膏において、足から剥がれるのを防止することができる絆創膏を提供することを目的とする。
【課題を解決するための手段】
【０００７】
本発明は、足裏を含む足に貼り付けられる絆創膏であって、つま先側を向く前端縁及び踵側を向く後端縁を有し、偏平状に形成されているクッション部材と、前記クッション部材を覆うように取り付けられ、少なくとも、当該クッション部材の両側から延びる固定部を有するシート状のカバー部材と、を備え、前記クッション部材及び固定部には、当該絆創膏を前記足に貼り付けるための粘着剤が塗布されており、前記クッション部材には、少なくとも１つの貫通孔が形成されており、前記貫通孔の前端縁側の端部は、当該前端縁側に凸となるように湾曲している。
【０００８】
この構成によれば、クッション部材に形成されている貫通孔において、前端縁側の端部が、前端縁側に凸となるように湾曲している。そのため、次の効果を得ることができる。まず、クッション部材において貫通孔が形成されている部分は、足に接着されないため、つま先側から力が作用すると、この力によって貫通孔に歪みが生じる。したがって、クッション部材に作用する力が貫通孔に吸収されるため、クッション部材が剥がれるのをより防止することができる。
【０００９】
また、つま先側からクッション部材に作用する力を、貫通孔の湾曲形状によって、踵側に向かって受け流すことができる。すなわち、力が作用した場合、貫通孔はこれを吸収するように変形するが、上記のように力を受け流すため、貫通孔が大きく変形するのを防止できる。ここで、貫通孔が大きく変形すると、その周囲において、クッション部材が足から剥がれるおそれがあるが、上記構成により、クッション部材の剥がれを防止することができる。
【００１０】
上記絆創膏において、前記貫通孔の後端縁側の端部は、当該後端縁側に凸となるように湾曲させることができる。
【００１１】
この構成によれば、例えば、踵側からクッション部材に力が作用したとしても、貫通孔が大きく変形するのを防止することができ、その結果、クッション部材が足裏から剥がれるのを防止することができる。
【００１２】
上記絆創膏において、前記貫通孔は、楕円状に形成することができる。
【００１３】
この構成によれば、貫通孔におけるつま先側の湾曲した端部と、踵側の湾曲した端部とがなめらかに接続されているため、つま先側及び踵側、あるいはそれ以外の方向のいずれからの力が作用しても、クッション部材に作用する力を受け流すことができ、クッション部材が足裏から剥がれるのを防止することができる。
【００１４】
なお、楕円の長軸の向きは、前後方向、左右方向、斜め方向など、特には限定されないが、例えば、前後方向であれば、次の効果を奏する。魚の目、タコ等は足の前後方向に延びるように形成されるため、魚の目等の患部が貫通孔からはみ出すと、クッション部材が足から浮き上がるおそれがあり、これによって、粘着剤によりクッション部材を足に固定する力が低減する。この状態で、つま先側から力が作用すると、この力によってクッション部材及び固定部が足から剥がれるおそれがある。
【００１５】
これに対して、貫通孔が前後方向に延びるように形成されていると、魚の目等の患部を貫通孔に収容することができるため、クッション部材が足から浮き上がるのを防止することができ、つま先側からの力によってクッション部材が足から剥がれるのを防止することができる。なお、患部が貫通孔内に完全に収容されていなくても、少なくとも貫通孔が、患部に沿うような前後方向に延びる形状であれば、クッション部材の浮き上がりを抑制でき、これによって、クッション部材の剥がれも抑制することができる。
【００１６】
上記絆創膏において、前記貫通孔には、薬剤を収容することができる。
【発明の効果】
【００１７】
本発明に係る絆創膏によれば、足から剥がれるのを防止することができる。
【図面の簡単な説明】
【００１８】
【図１】本発明に係る絆創膏の一実施形態を示す上面図である。
【図２】図１の下面図である。
【図３】図１の正面図である。
【図４】第１剥離紙の平面図である。
【図５】第２剥離紙の平面図である。
【図６】剥離紙が取り付けられた絆創膏の断面図である。
【図７】図１の絆創膏が足裏に貼付けられた状態を示す断面図である。
【図８】図１の絆創膏に作用する力の状態を示す図である。
【図９】図１の絆創膏に作用する力の状態を示す図である。
【図１０】貫通孔の他の例を示す平面図である。
【図１１】本発明に係る絆創膏の他の例を示す下面図である。
【図１２】本発明に係る絆創膏の他の例を示す下面図である。
【発明を実施するための形態】
【００１９】
以下、本発明に係る絆創膏の一実施形態について図面を参照しつつ説明する。図１は絆創膏の上面図、図２は図１の下面図、図３は図１の正面図である。以下では、図１の上方向を「前」、下方向を「後」、左右方向を「左右」、図３の上下方向を「上下」と称し、この方向を基準として説明を行うこととする。
【００２０】
＜１．絆創膏の概要＞
図１〜図３に示すように、本実施形態に係る絆創膏１０は、主として足裏に貼付けられ、足裏に生じた魚の目、タコ、イボ等を治療するものである。具体的には、この絆創膏１０は、偏平状に形成されたクッション部材１と、その上面を覆い、さらにクッション部材１の左右に延びるカバー部材２と、薬剤５と、を備えている。また、クッション部材１とカバー部材２の下面には、足に貼り付けるための粘着剤（図示省略）が塗布されており、この粘着剤を覆うための剥離紙３，４が貼り付けられている（図４〜図６参照）。以下、各部材について説明する。
【００２１】
＜１−１．クッション部材＞
図２に示すように、クッション部材１は、前後方向が左右方向よりも長い矩形状に形成され、前後方向に並ぶ第１領域１１と第２領域１２とを有している。第１領域１１及び第２領域１２は、ともに矩形状に形成されているが、第１領域１１の前後方向の長さは第２領域１２よりも長く形成されている。また、第１領域１１の左右方向の長さも第２領域１２よりもやや長く形成されている。
【００２２】
第１領域１１の前端縁は、円弧状に形成されている。また、第１領域１１には、長軸が前後方向を向く楕円状の貫通孔１３が形成されている。この貫通孔１３は、第１領域１１の左右方向の中心で、且つ前後方向の中心からやや前側に形成されている。そして、この貫通孔１３には後述するように薬剤５が配置されている。
【００２３】
上記のように、第１領域１１の左右方向の幅は、第２領域１２よりもやや大きいため、クッション部材１の両側縁には、段差１４が形成されている。そして、この段差１４は、円弧状に形成されている。
【００２４】
クッション部材１は、例えば、厚みが０．５〜５ｍｍ、好ましくは１〜３ｍｍに形成され、主として厚み方向に弾性変形可能なクッション性を有している。そのため、例えば、ポリエチレン、ウレタンなどの樹脂材料を発泡させたもの、ポリプロプピレン、ポリエステル、ナイロンなどの樹脂材料、コットン、レーヨンなどの天然材料などで形成することができる。また、一層のみならず、複数層で形成することができる。そして、クッション部材１の下面には、貫通孔１３を除いて粘着剤が塗布されている。
【００２５】
＜１−２．カバー部材＞
次に、カバー部材２について説明する。カバー部材２は、シート状に形成されており、下面に粘着剤が塗布されている。また、カバー部材２は、クッション部材１が貼り付けられる中央部２１と、この中央部２１の両側に設けられ、クッション部材１から左右にはみ出す一対の固定部２２，２３と、を備えている。以下では、説明の便宜上、図２の左側の固定部を第１固定部２２、右側の固定部を第２固定部２３と称することとする。
【００２６】
上記のように、中央部２１はクッション部材１が貼り付けられているが、クッション部１と同じ大きさに形成されている。すなわち、中央部２１もクッション部材１と同様に、矩形状の第１領域２１１と第２領域２１２とを有しており、これらはクッション部材１の第１領域１１及び第２領域１２と対応している。そして、中央部２１の第１領域２１１の両側から、各固定部２２，２３が左右方向に延びている。各固定部２２，２３は、後方にいくにしたがって中央部２１から離れるように斜め後方に延びている。したがって、各固定部２２，２３において、つま先側を向く前縁部も斜め後方に延びる傾斜部分を有している。また、クッション部材１は上記のように厚みがあるため、クッション部材１の両側と、固定部２２，２３との間には段差が形成されている。
【００２７】
上記のように、クッション部材１の前端縁は円弧状に形成されているが、カバー部材２の中央部２１の前端縁も同形状をなすように円弧状に形成されている。そして、この中央部２１の前端縁から固定部２２，２３の前端縁に亘っては、円弧状の曲線を形成している。すなわち、中央部２１と固定部２２，２３との連結部分には凹凸や段差が形成されておらず、中央部２１及び固定部２２，２３の前端縁は、全体としてなめらかな曲線により形成されている。
【００２８】
そして、各固定部２２，２３は斜め後方に延びているため、中央部２１の第２領域２１２と各固定部２２，２３との間には、三角形状の隙間が形成されている。そして、この隙間の前端の角部は円弧状に形成されている。より詳細には、カバー部材２の中央部２１と固定部２２，２３との連結部分の後端を挟んで、クッション部材１の段差１４から固定部２２，２３に亘る縁部は、円弧状に形成されている。
【００２９】
上記カバー部材２はプラスチックシ−ト、布、不織布などの可撓性を有する材料で形成することができるが、特には限定されない。また、通気性を有し、伸縮性を有することが好ましい。また、カバー部材２の色も特には限定されないが、例えば、皮膚に貼付けた際に目立たないように肌色にすることができる。その他、透明であってもよい。
【００３０】
クッション部材１及びカバー部材２に用いられる粘着剤も特には限定されず、ゴム系、アクリル系、シリコン系などの種々の材料を採用することができる。但し、一般的には、アクリル系粘着剤を用いると皮膚に対する刺激が少ないため、好ましい。
【００３１】
＜１−３．薬剤＞
次に、薬剤５について説明する。上記のように、クッション部材１には貫通孔１３が形成されており、さらにクッション部材１の上面にはカバー部材２が貼り付けられている。そのため、貫通孔１３の上部開口はカバー部材２によって閉じられ、下部開口は開放した状態となっている。そして、この下部開口から薬剤５が注入され、上部開口を塞ぐカバー部材２の粘着剤に固定されている。
【００３２】
薬剤５は、魚の目、タコ、イボ等を治療するものであるが、例えば、サリチル酸等を主成分とする角質軟化薬剤を用いることができる。
【００３３】
＜１−４．剥離紙＞
次に、剥離紙について、図４〜図６を参照しつつ説明する。図４は第１剥離紙の平面図、図５は第２剥離紙の平面図、図６は剥離紙が取り付けられた絆創膏の断面図である。
【００３４】
図４〜図６に示すように、剥離紙は、２つの部位により構成されている。すなわち、第１固定部２２の下面に第１剥離紙３が貼り付けられ、中央部２１及び第２固定部２３の下面には、第２剥離紙４が貼り付けられている。図４及び図６に示すように、第１剥離紙３は、第１固定部２２に貼り付けられる第１本体３１と、この第１本体３１に折り曲げられて連結される第１取っ手部３２とで構成されている。第１本体３１は、第１固定部２２と同じ形状に形成されている。そして、第１取っ手部３２は、第１本体３１の右側縁、つまり第１固定部２２とクッション部材１との段差において折り曲げられ、第１本体３１上に重ねられている。第１取っ手部３２は、第１本体３１の左右方向の中央付近まで延びており、左側縁は前後方向に直線状に延びている。そして、第１取っ手部３２は、第１本体３１と重ねられている部分においては、第１本体３１と同じ形状に形成されている。
【００３５】
一方、図５及び図６に示すように、第２剥離紙４は、クッション部材１及びカバー部材２の第２固定部２３を覆う、第２本体４１と、この第２本体４１の左側縁から第１固定部２２側へ延びる第２取っ手部４２と、を備え、これらが一体的に形成されている。第２本体４１は、クッション部材１及びカバー部材２の第２固定部２３と同じ形状に形成されている。そして、第２取っ手部４２は、第１剥離紙３の第１取っ手部３２の一部を覆うように延びている。すなわち、第１取っ手部３２の左右方向の中心付近まで延びており、左側縁は前後方向に直線状に延びている。また、第２取っ手部４２は、第１取っ手部３２と重ねられている部分においては、第１取っ手部３２と同じ形状に形成されている。
【００３６】
＜２．絆創膏の使用方法＞
次に、上記のように構成された絆創膏を足裏の患部（魚の目、タコなど）に貼り付ける場合の使用方法について説明する。まず、第２剥離紙４の第２取っ手部４２を把持し、第２剥離紙４を取り外し、クッション部材１及びカバー部材２の第２固定部２３の粘着剤を露出させる。次に、クッション部材１の前端縁がつま先側、後端縁が踵側を向くように向きを調整しつつ、貫通孔１３から露出する薬剤５が、患部に配置されるように絆創膏１０を位置決めする。そして、クッション部材１及び第２固定部２３の粘着剤を足に貼り付ける。これに続いて、第１取っ手部３２を把持して、第１剥離紙３を取り外す。そして、露出した第１固定部２２の粘着剤を足裏に貼り付ける。こうして、絆創膏１０の取り付けが完了する。
【００３７】
＜３．特徴＞
上記絆創膏１０によれば、次の効果を得ることができる。
【００３８】
＜３−１＞
上記のように足裏に絆創膏１０を貼り付けた場合、使用者が歩行したときには、つま先側から踵側に力が作用するため、絆創膏１０にも同様の力が作用し、足裏から剥がれやすいという問題がある。特に、ヒールを履いた場合には、つま先側に体重が集中するため、上記の力がより大きくなる。また、絆創膏１０のクッション部材１と固定部２２，２３との間には段差が形成されているため、図７に示すように、絆創膏１０を足裏に貼り付けた場合には、この段差により隙間が形成され、この隙間から固定部２２，２３が剥がれやすくなるという問題がある。
【００３９】
これに対して、本実施形態に係る絆創膏１０においては、クッション部材１に貫通孔１３が形成されている。この貫通孔１３が形成されている部分は、足に接着されないため、つま先側から力が作用すると、図８に示すように、この力によって貫通孔１３に歪みが生じる（破線部分参照）。したがって、クッション部材１に作用する力が貫通孔１３に吸収されるため、クッション部材１が剥がれるのを防止することができる。
【００４０】
また、貫通孔１３は楕円状に形成されているため、図８に示すように、つま先側からクッション部材１に作用する力を、貫通孔１３の湾曲形状によって、踵側に向かって受け流すことができる。すなわち、力が作用した場合、貫通孔１３はこれを吸収するように変形するが、上記のように力を受け流すため、貫通孔１３が大きく変形するのを防止できる。ここで、貫通孔１３が大きく変形すると、その周囲において、クッション部材１が足から剥がれるおそれがあるが、上記構成により、クッション部材１の剥がれを防止することができる。
【００４１】
特に、貫通孔１３は、クッション部材１の前端縁側に配置されている。すなわち、つま先側に近い位置に配置されているため、より力を受けやすい。したがって、貫通孔１３を上記のような形状にすると、特に有利である。
【００４２】
同様に、踵側から作用する力についても貫通孔１３の湾曲形状により受け流すことができるため、クッション部材１の剥がれを防止することができる。特に、貫通孔１３は楕円形状であり、前側の湾曲した端部と後側の湾曲した端部とがなめらかに接続されている。すなわち、貫通孔１３の全周が曲線により構成されているため、前側及び後側、あるいはそれ以外の方向のいずれの方向からの力に対しても、貫通孔１３に作用する力をスムーズに受け流すことができ、貫通孔１３が大きく変形するのを防止することができる。その結果、クッション部材１が足から剥がれるのを防止することができる。
【００４３】
また、魚の目、タコ等は足の前後方向に延びるように形成されるため、長軸が前後方向に延びる楕円状に貫通孔１３を形成すると、魚の目等に薬剤を適切に塗布することができる。その一方で、患部以外の箇所に薬剤が接触するのを抑制することができる。
【００４４】
＜３−２＞
上記のように、固定部２２，２３の前縁部がつま先側から踵側に向かって斜めに延びる傾斜部分を有しているため、図９に示すように、つま先側から作用する力（矢印）を垂直に受けず、踵側に向かって受け流すことができる。これにより、つま先側から固定部２２，２３に作用する力を緩和することができ、その結果、歩行中に固定部２２，２３が足裏から剥がれるのを防止することができる。
【００４５】
＜３−３＞
クッション部材１の前端縁から、各固定部２２，２３の傾斜部分に亘っては、凹凸のない直線または曲線で構成されているため、つま先側から作用する力をなめらかに受け流すことができる。例えば、両者の間に段のような凹凸が形成されていると、この部分に力が作用しやすくなり、剥がれやすくなる。したがって、上記のように構成することで、クッション部材１及び固定部２２，２３が剥がれるのを、より防止することができる。
【００４６】
＜３−４＞
上記実施形態では、クッション部材１の後端縁側の両側と、各固定部２２，２３との間に隙間が形成されている。すなわち、クッション部材１の後端縁側と固定部２２，２３とは切り離されているため、クッション部材１の後端縁側が動きやすくなる。そのため、力が作用したときに、クッション部材１の後端縁が，その力に追従しながら動くため、クッション部材１が固定部２２，２３とともに剥がれるのをより防止することができる。また、クッション部材１を、足の側面や指など、曲面を有する部分に貼り付けやすくなるという利点もある。
【００４７】
＜３−５＞
クッション部材１と固定部２２，２３との連結部分の後縁を挟み、クッション部材１から固定部２２，２３に亘る縁部が円弧状に形成されているため、連結部分の後縁に力が集中するのを防止することができる。そのため、固定部２２，２３が剥がれるのをより防止することができる。
【００４８】
＜４．変形例＞
以上、本発明の一実施形態について説明したが、本発明はこれに限定されるものではなく、その趣旨を逸脱しない限りにおいて種々の変更が可能である。なお、以下の変形例は、適宜組合せ可能である。
【００４９】
＜４−１＞
貫通孔１３の形状は、特には限定されないが、少なくとも前端縁が、前側に凸となるように湾曲していればよい。したがって、例えば、図１０に示すような形状にすることができる。すなわち、半円状（ａ）、長軸が前後方向を向く半楕円状（ｂ）、短軸が前後方向を向く半楕円状（ｃ）、前端が半円状で後端が矩形状（ｄ）、前端及び後端が半円状（ｅ）、前端が半円状で後端が三角形状（ｆ）、など、種々の形状にすることができる。その他、図示を省略するが、短軸が前後方向を向く楕円状でもよい。
【００５０】
＜４−２＞
上記実施形態では、クッション部材１に１つの貫通孔１３を形成しているが、２以上の貫通孔を形成することもできる。貫通孔１３の位置は特には限定されず、クッション部材１において、前後方向の前側に配置されていればよい。また、貫通孔１３の形状も特には限定されず、円形以外であってもよい。
【００５１】
なお、貫通孔１３には必ずしも薬剤を収容する必要はない。したがって、本発明を、単に患部を覆う絆創膏として用いることもできる。この場合、クッション部材１の全体に粘着剤が塗布される必要はなく、一部であってもよい。
【００５２】
＜４−３＞
クッション部材１及びカバー部材２の形状は特には限定されず、例えば、図１１（ａ）に示すように、カバー部材２をクッション部材１に対して左右方向に直線状に延びるように形成することもできる。また、図１１（ｂ）に示すように、カバー部材２をクッション部材１の前後方向の中間付近から左右に延びるように配置してもよい。
【００５３】
＜４−４＞
但し、上述したように、固定部２２，２３の前端縁に、上述したような傾斜部分が形成されていれば、固定部２２，２３の足からの剥がれを、より防止することができる。したがって、クッション部材１及びカバー部材２は、例えば、図１２のような形状にすることができる。
【００５４】
図１２（ａ）に示すように、クッション部材１の前縁部は、円弧状でなく、直線状であってもよい。また、クッション部材１の前端縁と固定部２２，２３の前端縁との間に段が形成されていてもよい。
【００５５】
図１２（ｂ）に示すように、各固定部２２，２３が、クッション部材１の両側のみに連結していなくてもよく、クッション部材１の後端縁にも連結されていてもよい。
【００５６】
クッション部材１の形状は特には限定されず、矩形以外の、例えば、図１２（ｃ）に示すように、円形などでもよい。
【００５７】
図１２（ｄ）に示すように、カバー部材２は、台形状であってもよい。すなわち、カバー部材２は、クッション部材１の両側のみならず、後縁部からも突出する形状であってもよい。同様に、カバー部材２は、図１２（ｅ）や図１２（ｆ）に示すような六角形状のほか、種々の形状にすることができる。
【００５８】
＜４−５＞
上記実施形態では、本発明に係る絆創膏を足裏に貼付けているが、これに限定されず、足の甲、足の指、足の側面など、歩行時に履き物によって力を受ける箇所であれば、いずれの場所に貼付けても上述した効果を得ることができる。
【符号の説明】
【００５９】
１  クッション部材
１３  貫通孔
２  カバー部材
２２，２３  固定部
【図１】
2019208600.tif 000003
【図２】
2019208600.tif 000004
【図３】
2019208600.tif 000005
【図４】
2019208600.tif 000006
【図５】
2019208600.tif 000007
【図６】
2019208600.tif 000008
【図７】
2019208600.tif 000009
【図８】
2019208600.tif 000010
【図９】
2019208600.tif 000011
【図１０】
2019208600.tif 000012
【図１１】
2019208600.tif 000013
【図１２】
2019208600.tif 000014